(57)【要約】      （修正有）【課題】竹の皮そのものに付加価値を付けることによって、未利用のまま放置されていた天然の竹の皮の需要喚起と需要促進とを図り、現在既に包装資材として使用している業界においても、需要の増大を図り、竹の皮によって包装可能な食品類の新しい分野を開拓し、竹の皮の包装資材としての使用を拡大することを可能とした竹の皮を提供する。【解決手段】洗浄して乾燥させた竹の皮１の内面側２に、又は外面側４に、使用者名や屋号・社章や略画・被包装品に関する概説、その他の所要事項を表す模様３を直接表示してなる竹の皮。これらの模様３を焼き印手段によって形成してある竹の皮。【選択図】図１
0003141998.tif 000002
【実用新案登録請求の範囲】
【請求項１】
洗浄して乾燥させた竹の皮(1)の内面側(2)に、使用者名や屋号・社章や略画・被包装品に関する概説、その他の所要事項を表す模様(3)を直接表示してなる竹の皮。
【請求項２】
洗浄して乾燥させた竹の皮(1)の外面側(4)に、使用者名や屋号・社章や略画・被包装品に関する概説、その他の所要事項を表す模様(3)を直接表示してなる竹の皮。
【請求項３】
表示手段が焼き印の押捺である請求項１又は２に記載の竹の皮。
【考案の詳細な説明】
【技術分野】
【０００１】
本考案は、孟宗竹・淡竹・真竹等に代表される大径の竹の皮に関するものである。
【背景技術】
【０００２】
従来からこの種の大径の竹の皮は、古くはお結び（にぎりめし）の包装用として、近来は牛肉に代表される食肉類の包装用として広く使用されてきた。
【０００３】
しかしながら、包装資材が豊富に入手できるようになった今日では、有効に活用されることなくその大部分が竹藪等の自然環境下において放置されているのが現状である。
【０００４】
この竹の皮は、現在でも一部において食品包装資材として根強い需要がある。そのため、この需要に応えるための有効活用手段として、例えば特許文献１に見られるように、竹の皮を清掃処理後に複数枚、実施例説明では３０枚を一束として紐で結束し、真空パック詰めとした後、全体を煮沸殺菌して販売品とすることが提案されている。
【０００５】
また、竹の皮の他の活用手段としては、竹の皮３枚を重ね合わせて接着し、それを加熱金型に入れて加圧変形させることによって浅皿形に成形した容器として使用することも特許文献２に見られるように提案されている。更には、竹の皮を適宜の幅に割いて、これを網紐代わりの素材として網代編みし、容器本体とこれを覆う蓋とからなる籠形容器を形成することも引用文献３に見られるように既に提案され公知になっている。
【特許文献１】特開２００６−１６２９号公報
【特許文献２】特開２００１−３０２０７号公報
【特許文献３】特開平１１−２０８６５３号公報
【考案の開示】
【考案が解決しようとする課題】
【０００６】
しかしながら、前記引用文献１に記載の竹の皮の場合を除いては、竹の皮の使用量が限られていて、大量消費には繋がらないという課題を有している。唯一、竹の皮を包装資材としての使用に供するのは引用文献１に記載の真空パック詰めとした竹の皮のみであるが、この場合には包装資材として使用するための竹の皮を、別の包装資材であるビニール樹脂などの透明な袋を使用してパック包装するというものであるため、折角の天然資材である竹の皮という包装資材を、石油資源によって製造された包装資材を使用して包装するものであるから、竹の皮を地球に優しいエコ素材として使用することの効果が半減されることとなる。
【０００７】
他方において、この引用文献１に記載の真空パック詰めとした竹の皮は、竹の皮それ自体に特殊な付加価値が加えられているものではなく、この竹の皮を包装材として使用する使用者、例えば肉屋さんにとっては、旧来から長年に亘って使用してきた竹の皮と全く同等のものであるから、その大半が需要がなく自然に放置されたままとなっている竹の皮の需要を増大させることには繋がっていない。即ち、竹の皮の需要喚起と需要促進とには全く無関係なものである。併せて、合成樹脂素材製の真空パック詰め用の包装袋の使用と、同袋の廃棄処分の必要性という課題も有するものである。
【０００８】
そこで、本考案は、このような従来の先行技術において全く着想されていなかった新しい思想に基づいて、竹の皮そのものに付加価値を付けることによって、竹の皮の需要喚起と需要促進とを図ることを目的とし、既に竹の皮を包装資材として使用している業界における需要の拡大と、竹の皮によって包装可能な食品類の新しい分野を開拓し、竹の皮の包装資材としての使用量を大幅に拡大できるようにした竹の皮を提供しようとするものである。
【課題を解決するための手段】
【０００９】
該目的を達成するために講じた本考案にいうところの竹の皮の主たる構成は、洗浄して乾燥させた竹の皮１の内面側２に、使用者名や屋号・社章や略画・被包装品に関する概説、その他の所要事項を表す模様３を直接表示してある構成としたものである。
【００１０】
他の構成としては、洗浄して乾燥させた竹の皮１の外面側４に、使用者名や屋号・社章や略画・被包装品に関する概説、その他の所要事項を表す模様３を直接表示してある構成としたものである。
【００１１】
これらの主たる表示手段としては、焼き印を押捺することである。
【考案の効果】
【００１２】
このように、本考案にいうところの竹の皮は、その一枚一枚について、内面側に、使用者名や屋号・社章や略画・被包装品に関する概説、その他の所要事項を表す模様３を直接表示してなる構成としたものものであるから、この竹の皮を用いて包装された食品を購入し、開封した即ち竹の皮を開いた需用者に今日までになかった親しさや微笑ましさ・楽しさのような特異な感情を抱かせることができるという効果がある。したがって、このような模様等を施した竹の皮を使用することにより、竹の皮の使用者は他店に比して、自社の宣伝ができ、模様を定期的に変化させたり、複数の異なる模様のものを取り揃えて使用することにより、また、商品の割引や福引きのような模様を使用することもできるので、商品の購買者に今度はどのような模様がでてくるのか、というような細やかな期待を抱かせることができる、商品の売り上げ促進に寄与することができるという利点がある。ひいては、天然資源である竹の皮の需要促進に繋がる利点がある。
【００１３】
また、本考案の請求項２にいうところの竹の皮にあっては、その一枚一枚について、外面側に、使用者名や屋号・社章や略画・被包装品に関する概説、その他の所要事項を表す模様３を直接表示してなる構成としたものものであるから、これを他の包装資材を利用して二重包装する場合には、前記と同様の効果が期待できる。
【００１４】
この実施に当たって、請求項３のように、焼き印を押捺することによって模様３を形成する場合には、焼き印による加熱で竹の皮を消毒できるという利点のみならず、焼き印押捺作業の終わった瞬間に順次竹の皮を積み重ねて束ねることができ、例えば、印刷インクによる捺染印刷のように印刷インクの乾燥を待つ必要がないため作業効率を高めることができ、焼き印形成部分に直接食品が当たっても、印刷インクのように食品への色移りという現象が生じることもないので、使用者は気遣いなく安心して使用することができるという利点がある。また、焼き印形成模様部分の面積は小さくても、焼き印全体の面積を広くしておくと、模様３の形成と同時に竹の皮全体を加熱消毒することもできるという利点がある。
【考案を実施するための最良の形態】
【００１５】
以下本考案の実施例について図面に基づいて説明する。図中、図１乃至図３は、それぞれ本考案の実施例を示す竹の皮の内面側を示した平面図である。
【００１６】
図１は、太竹の代表的な一種である孟宗竹の皮１の内面側２に、使用者名や屋号・社章や略画・被包装品に関する概説、その他の所要事項を表す模様３、ここでは子牛の模様３を、焼き印を用いて押捺するという周知の手段によって直接表示したものである。
【００１７】
この焼き印による模様の形成は、例えば加熱ヒータによって表面温度を約２００℃に調整した焼き鏝を竹の皮の内面側２に、０．２〜０．５秒間当て付けることによって行う。この焼き鏝の押捺は、竹の皮１の内面側２に焦げ面が形成できればよい。
【００１８】
この模様は、図１の模様に限らず、図２のように可愛い子供の模様であってもよく、図３に示したようなひよこの模様でも、図４に示したような花柄模様でも、その他適宜の絵柄や文字や記号等でもよい。
【００１９】
これらのうち、図４は、竹の皮１の外面側４に、花柄の模様３を焼き印形成したものである。
【００２０】
食品販売業者は、このように模様を形成した竹の皮を用いて食品を包装して販売する。その食品を購入した購買者は、竹の皮を開いたとき、竹の皮１の内面側２に今日までになかった親しさや微笑ましさや、楽しさのような特異な感情を受けることができる。
【００２１】
食品販売業者は、このような模様を形成した竹の皮を使用することにより、自社の宣伝ができるので、商品の売り上げ促進に役立つという利益を受けることができるという利点がある。
【００２２】
以上本考案の代表的と思われる実施例について説明したが、本考案は必ずしもこれらの実施例に示したもののみに限定されるものではなく、また、模様の形成手段は焼き印のみに限らず、食紅等を使用した色彩印刷とすることもできる。本考案は前記の構成要件を備え、かつ、本考案にいう目的を達成し、上記の効果を有する範囲内において適宜に改変して実施することができるものである。
【産業上の利用可能性】
【００２３】
本考案いうところの竹の皮は、今日までには存在しなかった新しい形態の包装体として天然の竹の皮を利用するものであるから、市場に出されると世上に受け入れられることは明らかであり、食品業者間において重宝に使用される可能性が大なるものである。
【図面の簡単な説明】
【００２４】
【図１】第１実施例を示した平面図。
【図２】第２実施例を示した平面図。
【図３】第３実施例を示した平面図。
【図４】第４実施例を示した平面図。
【符号の説明】
【００２５】
１  竹の皮
２  内面側
３  所要事項を表す模様
４  外面側
【図１】
0003141998.tif 000003
【図２】
0003141998.tif 000004
【図３】
0003141998.tif 000005
【図４】
0003141998.tif 000006